(57)【要約】【課題】通電状態で可動接触子との接触圧力が増加して抵抗と発熱を最小限に抑えることができる回路遮断器のスライド型可動接触子アセンブリを提供する。【解決手段】回路遮断器のスライド型可動接触子アセンブリは、回転軸５を中心に回動可能な可動接触子１と、可動接触子１の回動を許容し、可動接触子１に接触して通電経路を提供する接続板２と、接続板２の側面に設置され、通電時の温度が上昇するほど接続板２側に曲がって可動接触子１に接触する圧力が増加するように接続板２を加圧するバイメタル板６とを含む。【選択図】図１
2011054569.tif 000002
【特許請求の範囲】
【請求項１】
回路遮断器のスライド型可動接触子アセンブリにおいて、
回転軸を中心に回動可能な可動接触子と、
前記可動接触子の回動を許容し、前記可動接触子に接触して通電経路を提供する接続板と、
前記接続板の側面に設置され、通電時の温度が上昇するほど前記接続板側に曲がって前記可動接触子に接触する圧力が増加するように前記接続板を加圧するバイメタル板と
を含むことを特徴とする回路遮断器のスライド型可動接触子アセンブリ。
【請求項２】
前記接続板は、一対で構成され、該一対の接続板が前記可動接触子の両側面に接触して設置され、
前記バイメタル板は、一対で構成され、前記一対の接続板のそれぞれの接続板の外側面に接触して設置されることを特徴とする請求項１に記載の回路遮断器のスライド型可動接触子アセンブリ。
【請求項３】
前記接続板、前記バイメタル板、及び前記可動接触子を貫通するように設置され、前記可動接触子に回転支持点を提供する回転軸と、
接続手段により前記接続板と前記バイメタル板を接続して支持する接続ベースとをさらに含むことを特徴とする請求項１に記載の回路遮断器のスライド型可動接触子アセンブリ。
【請求項４】
前記接続手段は、リベットで構成されることを特徴とする請求項３に記載の回路遮断器のスライド型可動接触子アセンブリ。
【発明の詳細な説明】
【技術分野】
【０００１】
本発明は、回路遮断器に関し、特に、可動接触子とそれに電気的に接続する通電部材間にスライド接触構造を有する回路遮断器のスライド型可動接触子アセンブリに関する。
【背景技術】
【０００２】
一般に、回路遮断器又は配線用遮断器（Molded Case Circuit Breaker：ＭＣＣＢ）と呼ばれる遮断器は、ビル、工場、船舶などの配電線路上に設置されて、正常回路（normal circuit）の開閉時及び短絡電流などの事故電流の発生時に自動で回路を遮断し、その遮断時に発生するアークを迅速に消弧し、数百ボルト以下の比較的低電圧を取り扱う電力機器である。
【０００３】
このような回路遮断器において、可動接触子と外部の電源側又は負荷側電線を接続する端子部間を電気的に接続するために、可撓性銅より線を接続することが一般的であるが、このようなより線を含む電気的接続導体と可動接触子間には、可動接触子を回転可能に支持するために別途の追加接続導体（connecting conductor）が備えられる。このような追加接続導体を可動接触子に接続すると同時に可動接触子を回転可能に支持する構造であり、２つの導体接続板間に可動接触子を挟んで接続板と可動接触子を貫通するように回転軸を設置して、回路開閉の動作時に可動接触子が接続板と摺動摩擦する構造を有するスライド型可動接触子アセンブリを有する回路遮断器がある。本発明は、このような回路遮断器のスライド型可動接触子アセンブリに関する。
【０００４】
このような回路遮断器のスライド型可動接触子アセンブリにおいて、従来技術では、回路通電状態、すなわち、可動接触子が固定接触子に接触して閉回路状態になって電源側から負荷側に電力が供給される状態において、前記接続板と可動接触子が密着するほど接触抵抗が低くなり、発熱及びそれによる温度上昇が最小になる。しかしながら、スライド型可動接触子において、回路遮断時に前記可動接触子が前記接続板に対して摺動すると共に回転して固定接触子から分離される円滑な動作が要求される。
【０００５】
従って、通電状態においては前記接続板と可動接触子が強力に密着することが好ましく、回路遮断時には、前記接続板に接触する状態で可動接触子が円滑に摺動摩擦して回転するために前記接続板と前記可動接触子との密着度が低いことが好ましい。
【発明の概要】
【発明が解決しようとする課題】
【０００６】
しかしながら、従来技術は、前述したような矛盾した要求に適切に応えることが困難であるという問題があった。
【０００７】
本発明の目的は、通電時の可動接触子と接続板間の発熱により温度が上昇すると、接続板側に曲がって接続板を加圧するバイメタルを含むことにより、通電時の可動接触子と接続板間の接触圧力の低下による温度上昇を最小限に抑えることができる回路遮断器のスライド型可動接触子アセンブリを提供することにある。
【０００８】
さらに、本発明の目的は、通電時の可動接触子と接続板間の発熱により温度が上昇すると、接続板側に曲がって接続板を加圧するバイメタルを含むことにより、可動接触子又は接続板の温度上昇による劣化や溶融などによる回路遮断器の故障及びそれによる大きな被害を事前に防止できる回路遮断器のスライド型可動接触子アセンブリを提供することにある。
【課題を解決するための手段】
【０００９】
このような目的を達成するために、本発明は、回転軸を中心に回動可能な可動接触子と、前記可動接触子の回動を許容し、前記可動接触子に接触して通電経路を提供する接続板と、前記接続板の側面に設置され、通電時の温度が上昇するほど前記接続板側に曲がって前記可動接触子に接触する圧力が増加するように前記接続板を加圧するバイメタル板とを含む回路遮断器のスライド型可動接触子アセンブリを提供する。
【００１０】
さらに、このような目的を達成するために、本発明は、回動可能な可動接触子と、前記可動接触子の回動を許容し、前記可動接触子に接触して通電経路を提供する接続板と、前記接続板の側面に設置され、通電時の温度が上昇するほど前記接続板側に曲がって前記可動接触子に接触する圧力が増加するように前記接続板を加圧するバイメタル板と、前記接続板、前記バイメタル板、及び前記可動接触子を貫通するように設置され、前記可動接触子に回転支持点を提供する回転軸と、接続手段により前記接続板と前記バイメタル板を接続して支持する接続ベースとを含む回路遮断器のスライド型可動接触子アセンブリを提供する。
【発明の効果】
【００１１】
本発明の回路遮断器のスライド型可動接触子アセンブリは、通電時の可動接触子と接続板間の発熱により温度が上昇すると、接続板側に曲がって接続板を加圧するバイメタルを含むので、通電時に可動接触子と接続板間の接触圧力の低下による温度上昇を最小限に抑えることができるという効果がある。
【００１２】
本発明の回路遮断器のスライド型可動接触子アセンブリは、通電時の可動接触子と接続板間の発熱により温度が上昇すると、接続板側に曲がって接続板を加圧するバイメタルを含むので、可動接触子又は接続板の温度上昇による劣化や溶融などによる回路遮断器の故障及びそれによる大きな被害を事前に防止できるという効果がある。
【図面の簡単な説明】
【００１３】
【図１】本発明による回路遮断器のスライド型可動接触子アセンブリの組立状態を斜め上から見た斜視図である。
【図２】本発明による回路遮断器のスライド型可動接触子アセンブリの分解状態を斜め上から見た分解斜視図である。
【図３】本発明による回路遮断器のスライド型可動接触子アセンブリの作用を説明するための部分拡大斜視図である。
【図４】本発明による回路遮断器のスライド型可動接触子アセンブリにおける通電状態及び遮断動作状態を示す動作状態図である。
【発明を実施するための形態】
【００１４】
本発明の目的とそれを達成する本発明の構成及びその作用効果は、添付図面に基づいた本発明の好ましい実施形態の説明によりさらに明確に理解できるであろう。
【００１５】
図１は、本発明による回路遮断器のスライド型可動接触子アセンブリの組立状態を斜め上から見た斜視図であり、図２は、本発明による回路遮断器のスライド型可動接触子アセンブリの分解状態を斜め上から見た分解斜視図である。
【００１６】
図１に示すように、本発明の好ましい実施形態による回路遮断器のスライド型可動接触子アセンブリは、可動接触子１と、接続板２と、バイメタル板６とから構成される。本発明の好ましい実施形態による回路遮断器のスライド型可動接触子アセンブリは、１つの回転軸５と、１つの接続ベース３と、一対の接続リベット４をさらに含む。
【００１７】
可動接触子１は、相手方となる固定接触子（図示せず）に接触する投入位置又は前記固定接触子から分離される遮断位置に回転軸５を中心に回動可能である。可動接触子１が、手動操作ハンドルによる手動操作、又はトリップ機構のトリガ動作による開閉機構のトリップスプリングの弾性エネルギーの放出を利用した自動動作（トリップ動作）により回動できることは周知である。
【００１８】
接続板２は、一対で構成され、可動接触子１の左右両側に接続して可動接触子１の回動を許容し、通電経路を提供する。すなわち、接続板２は、一対で構成され、該一対の接続板２は、可動接触子１の両側面に接触するように接続板２間に可動接触子１を挟んで設置される。前述したような通電経路を提供するということは、電力回路（例えば、電源側）に電気的に接続された固定接触子（図示せず）、可動接触子１、接続板２、及びより線（図示せず）などの導体を介して最終的に電力回路（例えば、負荷側）に電気的に接続された端子を介して電流が流れて電力を供給できることを意味する。従って、接続板２は、導体で構成される。また、図２を参照すると、接続板２は、回転軸５の通過を許容する通孔を前端部に備え、接続ベース３に接続板２を固定する接続リベット４の通過を許容する２つのリベット通孔部を後端部に備える。本実施形態においては、２つのリベット通孔部を示しているが、これに限定されるものではない。
【００１９】
一方、本発明の特徴部に該当するバイメタル板６は、接続板２の側面に設置され、通電時に温度が上昇するほど接続板２側に曲がって可動接触子１に接触する圧力が増加するように接続板２を加圧するための手段である。バイメタル板６は、一対で構成され、それぞれが一対の接続板２の外側面に接触して設置される。従って、通電時の温度が上昇するほどバイメタル板６が接続板２を加圧して可動接触子１に密着させることにより、接続板２と可動接触子１間の接触抵抗が減少し、従って、通電時の接続板２と可動接触子１間の発熱が減少して温度上昇を防止することができる。従って、可動接触子１又は接続板２の温度上昇による劣化や溶融などによる回路遮断器の故障及びそれによる大きな被害を事前に防止することができる。図２に示すように、バイメタル板６も接続板２と同様に回転軸５の通過を許容する通孔を前端部に備え、接続ベース３に接続板２を固定する接続リベット４の通過を許容する２つのリベット通孔部を前端部に備える。本実施形態においては、２つのリベット通孔部を示しているが、これに限定されるものではない。
【００２０】
１つの回転軸５は、一対のバイメタル板６の前端部、一対の接続板２の前端部、及び可動接触子１の後端部を貫通するように設置され、可動接触子１に回転支持点を提供する。回転軸５の長さは、可動接触子１の厚さ、一対の接続板２の厚さ、及び一対のバイメタル板６の厚さの和より大きく設定される。従って、回転軸５が可動接触子１、一対の接続板２、及び一対のバイメタル板６を全て貫通すると、一対のバイメタル板６の両外側面の外側に回転軸５の両端部が突出するように延びる。
【００２１】
１つの接続ベース３は、一対のバイメタル板６と一対の接続板２を支持するための手段である。接続ベース３は、好ましくは、電気的導体で構成されて接続板２と端子部（図示せず）を電気的に接続するより線が接続され、それにより、可動接触子１から接続板２、接続ベース３、及びより線を介した端子部への通電経路を構成することができる。接続ベース３は、実施形態において、固定ネジのような固定手段により、通常電気的絶縁材で構成される回路遮断器の下部ケース底面部に固定することができる。接続ベース３には、図２に示すように、一対の接続リベット４が貫通できる一対の通孔が備えられる。
【００２２】
一対の接続リベット４は、接続板２とバイメタル板６の位置を固定するために接続ベース３に支持する手段として備えられる。一対の接続リベット４を接続板２とバイメタル板６の前記リベット通孔部を介して接続ベース３の前記一対の通孔を貫通させて接続リベット４の突出した両端部を圧着することにより、接続板２とバイメタル板６の後端部を接続ベース３に密着するように支持することができる。
【００２３】
以下、図２を参照して、前述したような構成部品を含む本発明による回路遮断器のスライド型可動接触子アセンブリの組立方法について説明する。
【００２４】
まず、可動接触子１の後端部中心軸孔に回転軸５を貫通するように挿入して可動接触子１と回転軸５の組立体を準備する。
【００２５】
次に、回転軸５に前端部通孔部をそれぞれ嵌めて一対の接続板２と一対のバイメタル板６を回転軸５と組み立てる。
【００２６】
次に、一対の接続板２と一対のバイメタル板６の後端部リベット通孔部と接続ベース３の通孔に一対のリベット４を挿入し、一対のリベット４の突出した両端部を圧着すると、本発明による回路遮断器のスライド型可動接触子アセンブリの組立が完成する。
【００２７】
以下、前述したように構成されて組み立てられる本発明による回路遮断器のスライド型可動接触子アセンブリの動作について説明する。
【００２８】
可動接触子１と固定接触子（図示せず）が接触する通電状態で可動接触子１の後端部側面と一対の接続板２が密着できずに接触不良が発生すると、可動接触子１の後端部側面と一対の接続板２の接触抵抗の増加により発熱し、可動接触子１の後端部側面と一対の接続板２間の温度が上昇する。従って、図３の矢印で示すように、この温度の上昇により、接続板２の側面に接触して設置されたバイメタル板６は、接続板２側、すなわち、内側に曲がる。バイメタル板６が接続板２側に曲がって接続板２を加圧して接続板２が可動接触子１に密着するように作用するので、可動接触子１の後端部側面と一対の接続板２間の温度上昇が防止される。
【００２９】
一方、トリップ動作（回路遮断動作）のとき、トリップスプリング（図示せず）の弾性エネルギーの放出により可動接触子１が固定接触子（図示せず）から分離されるように回転する力が、一対の接続板２が可動接触子１の後端部側面に密着して発生する摩擦力よりはるかに大きいので、図４に示すように、可動接触子１は、迅速に前記固定接触子から分離されて回路を遮断することができる。
【図１】
2011054569.tif 000003
【図２】
2011054569.tif 000004
【図３】
2011054569.tif 000005
【図４】
2011054569.tif 000006